(57)【要約】【課題】大気圧下において、固体状内容物が充填され密閉されたフレキシブルコンテナを安定して２段以上に積み上げることができる充填方法。【解決手段】フレキシブルコンテナへ固体状内容物を充填しながら、または充填後にフレキシブルコンテナ内の残留空気などの気体を除去することを特徴とする固体状内容物の充填方法。【選択図】なし【特許請求の範囲】
【請求項１】
フレキシブルコンテナへ固体状内容物を充填しながら、または充填後にフレキシブルコンテナ内の残留気体を除去することを特徴とする固体状内容物の充填方法。
【発明の詳細な説明】
【０００１】
【発明の属する技術分野】
本発明は、フレキシブルコンテナへの固体状内容物の充填方法、特に２段以上に積み上げることができるフレキシブルコンテナの充填方法に関する。
【０００２】
【従来の技術】
フレキシブルコンテナ、例えば充填口が開閉できるフランジ枠の構造（以下パースチャックと呼ぶ）になっているフレキシブルコンテナに固体状物、例えばペレットなどの粒状物、粉状物を充填し、充填口を密閉すると、フレキシブルコンテナの内部に空気などの気体が残留し、その上に他の充填済みのフレキシブルコンテナを積み上げようとしても、残留気体によってフレキシブルコンテナの上面が変動するため、安定して積み上げることが困難であった。
【０００３】
【発明が解決しようとする課題】
本発明は大気圧下において、固体状内容物が充填され密閉されたフレキシブルコンテナを安定して２段以上に積み上げることができる充填方法を提供するものである。
【０００４】
【課題を解決するための手段】
すなわち、本発明はフレキシブルコンテナへ固体状内容物を充填しながら、または充填後にフレキシブルコンテナ内の残留空気などの気体を除去することを特徴とする固体状内容物の充填方法に関する。
また本発明は、フレキシブルコンテナへ固体状内容物を充填しながら、または充填後に、そのフレキシブルコンテナの上面と下面を平坦にしながら、フレキシブルコンテナ内の残留気体を除去することを特徴とする充填方法に関する。
さらに本発明は、フレキシブルコンテナ内の空気が除去された充填済みフレキシブルコンテナの上面に、更に直接、フレキシブルコンテナ内の残留気体が除去されたフレキシブルコンテナが積み上げられていることを特徴とする２段以上に積み上げられたフレキシブルコンテナに関する。
【０００５】
【発明の実施の形態】
本発明の充填方法では充填口がパースチャック構造となっているパースチャック付きフレキシブルコンテナを用いることが望ましい。このようなフレキシブルコンテナとしてＪＩＳ−Ｚ１６５１のフレキシブルコンテナがある。パースチャック付き充填口は、充填口の開閉が容易で密封性能も良好であり、充填口を閉止・密封した後は外気の進入を防ぐと共に内部の空気も排出しない。
本発明の充填方法が利用される固体状内容物は、ペレットをはじめとして粉体状、粒体状などの種々の固体状物がある。
また、固体状内容物のフレキシブルコンテナへの充填は一般に自動充填装置が利用される。
【０００６】
フレキシブルコンテナは、自動充填装置の定位置に固定され、自動充填装置から空気が送り込まれ、膨張する。次に、予め計量した固体状内容物が自動充填装置からフレキシブルコンテナの充填口に自由落下で送り込まれ充填される。固体状内容物の充填が完了した後に、充填口のパースチャックが閉鎖される。このままでは、フレキシブルコンテナの中に空気が残留したままで、その上部が膨らんだ状態である。そこで、再度パースチャックを開口し、内部の残留空気を吸引などで排出除去した後、充填口のパースチャックを閉止する。これにより、フレキシブルコンテナの上面が平坦となり、残留空気による不安定さも解消される。
【０００７】
本発明を図面と共に説明する。
第１図は、本発明の充填方法を説明する斜視図である。
▲１▼から（１０）の工程により、フレキシブルコンテナに固体状内容物が充填されれると共に残留空気が除去される。
各工程は以下の通りである。
▲１▼空のフレキシブルコンテナを導入。
▲２▼パースチャックを開口し、充填措置のノズルを挿入。
▲３▼ブロワでフレキシブルコンテナを膨張させる。
▲４▼計量した固体状充填物をフレキシブルコンテナに充填。
▲５▼充填完了。
▲６▼充填装置のノズルを引き抜く。
▲７▼パースチャックを閉止。
▲８▼フレキシブルコンテナを排出。
（フレキシブルコンテナを充填装置の位置から移動。）
▲９▼パースチャックを再度開口し、残留空気を除去。
（１０）フレキシブルコンテナを積層し、保管。
【０００８】
次に、本発明の充填方法の好ましい態様を以下に説明する。
すなわち本発明の好ましい態様は、第２図の斜視図の▲１▼から（１０）に示すように固体状内容物を充填後、自動充填装置の充填ノズルがフレキシブルコンテナの充填口に挿入された状態で、上部の充填口からブロワ等で残留空気を抜き出すものである。残留空気を抜き出した後は、充填口の根元をクランプ装置で挟み、フレキシブルコンテナを仮に密閉する。その後、フレキシブルコンテナから自動充填装置の充填ノズルを抜き出し、パースチャックを閉止する。この状態ではフレキシブルコンテナの充填口の根元はクランプ装置によって挟み込まれた状態である。次に、クランプ装置による仮の密閉を解除する。
【０００９】
▲１▼空のフレキシブルコンテナを導入。
▲２▼パースチャックを開口し、充填装置のノズルを挿入。
▲３▼ブロワでフレキシブルコンテナを膨張させる。
▲４▼計量した固体充填物をフレキシブルコンテナに充填。
▲５▼充填完了後、フレキシブルコンテナ内部の残留空気を吸引除去。
▲６▼フレキシブルコンテナの充填口をクランプで閉める。
▲７▼充填装置のノズルを引き抜く。
▲８▼空気の吸引を停止し、パースチャックを閉止。
▲９▼クランプを開放し、フレキシブルコンテナを排出。
（フレキシブルコンテナを自動充填装置の位置から移動させる。）
（１０）フレキシブルコンテナを積層し、保管。
【００１０】
これにより、フレキシブルコンテナの内部に残留して緩衝材の役割をしていた不要な空気は取り除かれた状態となる。また、この態様によれば、パースチャックを再度開放して残留空気を除去する必要がない。
本発明の充填方法によってフレキシブルコンテナは、２個以上、３個、４個と積み上げても、安定して保管できる。
この態様によれば、再度パースチャック付き充填口を開放して残留空気を除去することなく、２個以上のフレキシブルコンテナを安定して積み上げることができる。また、充填から保管まで一連の作業が省力化できる。さらに、保管時に安定な積み上げが可能であり、安全性が高まると共に、保管に必要な面積を節約することができる。
【００１１】
なお、本発明では、フレキシブルコンテナへ固体状内容物を充填しながら、または充填後に、そのフレキシブルコンテナの上面と下面を平坦にしながら、フレキシブルコンテナ内の残留気体を除去するものであるが、残留気体を除去する際に、フレキシブルコンテナの上面が平坦になるように、外側から規制板などで押圧することも必要に応じて行われる。
また、本発明の好ましい態様には以下がある。
フレキシブルコンテナへ固体状内容物を充填しながら、または充填後に、そのフレキシブルコンテナの上面と下面を平坦にしながら、フレキシブルコンテナ内の残留気体を除去することを特徴とする充填方法。
フレキシブルコンテナ内の気体が除去された充填済みフレキシブルコンテナの上面に、更に直接、フレキシブルコンテナ内の残留空気が除去されたフレキシブルコンテナが積み上げられていることを特徴とする２段以上に積み上げられたフレキシブルコンテナ。
フレキシブルコンテナがパースチャック付きフレキシブルコンテナであることを特徴とする充填方法。
【図面の簡単な説明】
【図１】本発明の充填方法の工程を示す斜視図。
【図２】本発明の他の充填方法の工程を示す斜視図。
【図１】
2005035548.tif 000002
【図２】
2005035548.tif 000003